(57)【要約】【課題】着呼時にユーザが相手側を容易に認識可能な通信装置を提供する。【解決手段】着信時に回線Ｌから相手側の電話番号と相手側情報を受信し（Ｓ１１ステップ）、制御部が、電話帳メモリに格納された名称を優先して表示するよう設定するフラグがオンされていると判定し（Ｓ１５ステップ）、受信した電話番号と一致する電話番号が電話帳メモリに格納されていると判定すると（Ｓ１６ステップ）、一致する電話番号に対応する名称を電話帳メモリから読み出し表示する（Ｓ１７ステップ）。【選択図】　　　図４
2004072392.tif 000002
【特許請求の範囲】
【請求項１】
相手側の電話番号及び名称を受信する受信手段と、予め相手側の電話番号と名称を対で格納可能な電話帳メモリと、相手側の電話番号及び／又は名称を表示する表示手段と、
着呼時に、上記受信手段が相手側の電話番号及び名称を受信すると、上記受信手段が受信した相手側の電話番号に対応する相手側の名称を上記電話帳メモリから読み出し、上記表示手段に表示させる制御手段と、を有することを特徴とする通信装置。
【請求項２】
請求項１記載の通信装置であり、
上記制御手段は、着呼時に上記受信手段が受信した相手側の電話番号に対応する名称が上記電話帳メモリに格納されていないと判定すると、上記受信手段が受信した相手側の電話番号及び／又は名称を上記表示手段に表示させることを特徴とする通信装置。
【発明の詳細な説明】
【０００１】
【発明の属する技術分野】
本発明は通信装置に関する。
【０００２】
【従来の技術】
現在、日本電信電話株式会社の提供するナンバーディスプレイサービスに対応する通信装置（例えば、電話装置）が製品化されている。上記ナンバーディスプレイに対応する電話装置では、着呼時に回線から相手側の電話番号データを受信し、受信した電話番号データを表示部に表示することができる。この為、ユーザは着信に応答する前にだれからの着信であるかを知ることができる。
【０００３】
又、上記ナンバーディスプレイに関する技術が数多く提案されており、例えば特開平９−９３３６２号公報には、着信時に相手側の電話番号と氏名を同時に表示する技術が提案されている。
【０００４】
更に、近年では、相手側情報（例えば、企業名や個人氏名等）を着呼側へ送信する所謂ネームディスプレイサービスが日本電信電話株式会社から提供されている。上記ネームディスプレイに対応する電話装置は、着呼時に相手側情報を表示部に表示することが可能である。
【０００５】
【発明が解決しようとする課題】
しかしながら、ユーザは、上記ネームディスプレイ対応の電話装置を使用する場合、着呼時に回線から受信した相手側情報（例えば、個人氏名）を見るよりも、予め電話装置内の電話帳メモリに格納されている相手側名称（例えば、ニックネーム等）を見る方が、相手側を即座に認識可能な場合がある。
【０００６】
例えば、ユーザが日頃相手に対してニックネームで呼んでいる場合には、着呼時に回線から送られてきた個人氏名が表示部に表示されるのを見て、とまどう場合がある。
【０００７】
又、ユーザに同姓同名の知人が複数いる場合には、ユーザは、着呼時に回線から受信した相手側の個人氏名を見るだけでは、発呼側が誰であるか知ることができない。
【０００８】
本発明は上記の点に鑑みなされたものであり、着呼時に、回線から受信した相手側情報（例えば、個人氏名）よりも電話帳メモリに格納されている相手側名称（例えば、ニックネーム）を優先的に或いは付加的に表示するものである。
【０００９】
【課題を解決するための手段】
請求項１記載の通信装置は、相手側の電話番号及び名称を受信する受信手段と、予め相手側の電話番号と名称を対で格納可能な電話帳メモリと、相手側の電話番号及び／又は名称を表示する表示手段と、着呼時に、上記受信手段が相手側の電話番号及び名称を受信すると、上記受信手段が受信した相手側の電話番号に対応する相手側の名称を上記電話帳メモリから読み出し、上記表示手段に表示させる制御手段と、を有することを特徴とする。
【００１０】
請求項２記載の通信装置は、請求項１記載の通信装置であり、上記制御手段は、着呼時に上記受信手段が受信した相手側の電話番号に対応する名称が上記電話帳メモリに格納されていないと判定すると、上記受信手段が受信した相手側の電話番号及び／又は名称を上記表示手段に表示させることを特徴とする。
【００１１】
【発明の実施の形態】
以下、本発明を適用してなる実施例装置である電話装置について説明する。
【００１２】
図１は、本実施例装置のブロック図である。
【００１３】
制御部１１０は、以下に示す各回路の制御を司る。
【００１４】
網制御部１２０は、制御部１１０の制御に基づいて回線Ｌの閉結を行い、着信検出部１３０は、回線Ｌから送られてくる１６Ｈｚの着信信号の検出を行う。
【００１５】
ハンドセット１４０は、マイク１４１とスピーカ１４２からなる。
【００１６】
又、上記マイク１４１はアンプ１４４と、上記スピーカ１４２はアンプ１４３と接続されている。
【００１７】
フックスイッチ１４５は、ハンドセット１４０のフック状態を検出する為のスイッチである。
【００１８】
無線部１５０は、アンテナ１５５と接続されており、図示せぬ子機と無線接続することが可能である。
【００１９】
スピーチネットワーク回路１６０は、上記網制御部１２０、ハンドセット１４０、無線部１５０との間で送受信される信号の切換えを行う。例えば、ユーザがハンドセット１４０を用いて外線通話を行う際には、スピーチネットワーク回路１６０は、網制御部１２０とハンドセット１４０とを電気的に接続し、図示せぬ子機と回線Ｌとを接続する場合には、スピーチネットワーク回路１６０は、無線部１５０と網制御部１２０とを電気的に接続する。
【００２０】
入力部１７０は、テンキー、通話キー、機能キー、留守録キー、等からなる。
【００２１】
表示部１８０は、例えば液晶表示装置からなり、回線Ｌから受信した相手側情報（例えば、個人氏名や企業名）や、後述する第２格納部２００に格納されている相手側名称（例えば、ニックネーム等）や電話番号等を表示する。
【００２２】
第１格納部１９０は、例えばＲＯＭ（Ｒｅａｄ　Ｏｎｌｙ　Ｍｅｍｏｒｙ）からなり、制御部１１０の制御プログラムデータを格納する。
【００２３】
第２格納部２００は、例えば、ＳＲＡＭ（Ｓｔａｔｉｃ　Ｒａｎｄｕｍ　Ａｃｃｅｓｓ　Ｍｅｍｏｒｙ）からなり、所謂電話帳メモリとして使用され、相手側の電話番号と該電話番号に対応するニックネームや氏名等（相手側名称）を複数格納可能である。又、上記第２格納部２００には、着信時に、回線Ｌから受信した相手側情報よりも第２格納部２００に格納されている相手側名称を優先的に表示部１８０に表示するか否かを示すフラグ（以下、ＮＦとする。）を格納する。
【００２４】
図２は、上記第２格納部２００の格納形態を示す図である。
【００２５】
図２において、電話帳データを格納する領域２０１には、相手側の電話番号と相手側名称が対の状態で複数格納されており、領域２０２には、上記フラグが格納されている。
【００２６】
尚、上記フラグ（ＮＦ）が“１”である場合には、第２格納部２００に格納されている相手側名称を優先的に表示部１８０に表示するよう設定されていることを示しており、上記フラグ（ＮＦ）が“０”である場合には、回線Ｌから受信した相手側情報を優先的に表示するよう設定されていることを示している。
【００２７】
アンプ２１０と接続されたスピーカ２２０は、着信音を出力する。
【００２８】
次に、本実施例装置の動作について説明する。
【００２９】
先ず、着信時に電話帳メモリに格納されている相手側情報を優先的に表示するか否かを設定する際の制御部１１０の動作について説明する。
【００３０】
図３は、上記設定時における制御部１１０の動作を示すフロー図である。
【００３１】
図３のＳ１ステップにおいて、制御部１１０は、入力部１７０から、着信時に第２格納部２００に格納されている相手側名称を優先的に表示するよう設定する操作があると判定すると、Ｓ３ステップへ処理を進め、そうでなければＳ２ステップへ処理を進める。
【００３２】
Ｓ２ステップでは、制御部１１０は、第２格納部２００に格納されているフラグ（ＮＦ）を“０”とした後に、設定処理を終了する。
【００３３】
Ｓ３ステップでは、制御部１１０は、第２格納部２００に格納されているフラグ（ＮＦ）を“１”とした後に、設定処理を終了する。
【００３４】
次に、着信時における本実施例装置の動作について説明する。
【００３５】
図４は、着信時における制御部１１０の動作を示すフロー図である。
【００３６】
図４のＳ１０ステップにおいて、制御部１１０は、回線Ｌからの着信があることを示す信号を着信検出部１３０から検出するとＳ１１ステップへ処理を進める。
【００３７】
Ｓ１１ステップでは、制御部１１０は、網制御部１２０を介して回線Ｌから発呼者の電話番号と相手側情報（例えば、氏名や企業名等）を受信したと判定するとＳ１５ステップへ処理を進め、そうでなければＳ１２ステップへ処理を進める。
【００３８】
尚、上記Ｓ１１ステップで受信される発呼者の電話番号と相手側情報とは、回線Ｌから送信されるモデム信号に含まれている。
【００３９】
Ｓ１２ステップでは、制御部１１０は、網制御部１２０を介して回線Ｌから発呼者の電話番号を受信したと判定するとＳ１３ステップへ処理を進め、そうでなければ、Ｓ１４ステップへ処理を進める。
【００４０】
Ｓ１３ステップでは、制御部１１０は、網制御部１２０を介して回線Ｌから受信した相手側の電話番号を表示部１８０へ表示させ、Ｓ１９ステップへ処理を進める。
【００４１】
尚、上記Ｓ１３ステップにおいて、回線Ｌから受信した相手側の電話番号と、第２格納部２００に格納された前記電話番号に対応する名称を同時に表示しても良い。
【００４２】
Ｓ１４ステップでは、制御部１１０は、表示部１８０のバックライトを点灯させ、Ｓ１９ステップへ処理を進める。尚、このとき、表示部１８０には電話番号も相手側情報も表示されない。
【００４３】
Ｓ１５ステップでは、制御部１１０は、第２格納部２００に格納されているフラグ（ＮＦ）が“１”であると判定するとＳ１６ステップへ処理を進め、そうでなければＳ１８ステップへ処理を進める。
【００４４】
Ｓ１６ステップでは、制御部１１０は、上記Ｓ１１ステップで回線Ｌから受信した電話番号と同一の電話番号が第２格納部２００に格納されていると判定すると、Ｓ１７ステップへ処理を進め、そうでなければ、Ｓ１８ステップへ処理を進める。
【００４５】
Ｓ１７ステップでは、制御部１１０は、一致する電話番号（例えば、０６６１２３４５６７）に対応する名称（例えば、しげやん）を第２格納部２００の領域２０１から読み出し表示部１８０に表示させ、Ｓ１９ステップへ処理を進める。尚、このとき、第２格納部２００に格納された名称だけでなく回線Ｌから受信した相手側情報や電話番号も表示部１８０に表示しても良い。
【００４６】
Ｓ１８ステップでは、制御部１１０は、上記Ｓ１１ステップで回線Ｌから受信した相手側情報（例えば、氏名や企業名）を表示部１８０に表示させ、Ｓ１９ステップへ処理を進める。尚、このとき、名称だけでなく電話番号も表示部１８０に表示しても良い。
【００４７】
Ｓ１９ステップでは、制御部１１０は、フックスイッチ１４５がオン（ハンドセット１４０が持ち上げられた）となったと判定するとＳ２１ステップへ処理を進め、そうでなければＳ２０ステップへ処理を進める。
【００４８】
Ｓ２０ステップでは、制御部１１０は、着信検出部１３０が１６Ｈｚの呼出し音を検出しなくなったと判定すると、Ｓ２３ステップへ処理を進め、そうでなければ、Ｓ１９ステップへ処理を進める。
【００４９】
尚、制御部１１０が上記Ｓ１９、Ｓ２０ステップを繰り返し処理している間は、
制御部１１０は、上記Ｓ１３又はＳ１４又はＳ１７又はＳ１８ステップにおける表示部１８０の表示状態を維持する。
【００５０】
Ｓ２１ステップでは、制御部１１０は、網制御部１２０とスピーチネットワーク回路１６０を制御することにより、上記網制御部１２０とスピーチネットワーク回路１６０を介して回線Ｌとハンドセット１４０とを接続し、Ｓ２２ステップへ処理を進める。
【００５１】
Ｓ２２ステップでは、制御部１１０は、フックスイッチ１４５がオフとなった（ハンドセットが降ろされた）と判定すると、Ｓ２３ステップへ処理を進め、そうでなければＳ２１ステップへ処理を戻す。
【００５２】
Ｓ２３ステップでは、制御部１１０は、表示部１８０を制御することにより、表示部１８０に何も表示されていない状態にし、処理を終了する。
【００５３】
以上説明したように、本実施例装置では、着信時に、回線Ｌから入力した相手側情報よりも、第２格納部２００に格納されている名称を優先的に表示部１８０に表示する。このような構成とすることにより、例えば、第２格納部２００にユーザが日頃呼んでいるニックネームを格納すると、着呼時に表示部１８０にニックネームが表示され、ユーザは日頃呼んでいるニックネームを見ることにより容易に相手側を認識することができる。
【００５４】
又、ユーザに同姓同名の知人が複数いる場合には、ユーザは、電話帳にニックネーム等を登録し、着呼時に表示されるニックネームを見ることにより、容易に同姓同名の相手側を認識することができる。
【００５５】
尚、本実施例では、電話装置の親機について行ったが、電話装置の子機についても同様に実施できる。例えば、着呼時に親機の電話帳メモリに格納された名称を子機に送信し、子機の表示部１８０に表示する構成や、着呼時に子機が親機を介して回線から受信した電話番号と子機の電話帳メモリに格納されている電話番号とを比較し、一致する電話番号があれば、その電話番号に対応付けて子機の電話帳メモリに格納されている名称を子機の表示部に表示する構成としても良い。
【００５６】
又、本実施例では、電話装置について行ったが、ファクシミリ装置等の通信装置についても同様に実施できる。
【００５７】
【発明の効果】
本発明は、着呼時にユーザが容易に相手側を認識することを可能とする。
【図面の簡単な説明】
【図１】本発明を適用してなる実施例装置のブロック図である。
【図２】第２格納部２００の格納形態を示す図である。
【図３】本実施例装置の動作を示すフロー図である。
【図４】本実施例装置の動作を示すフロー図である。
【符号の説明】
１１０　制御部
１３０　網制御部
１７０　入力部
１８０　表示部
１９０　第１格納部
２００　第２格納部
【図１】
2004072392.tif 000003
【図２】
2004072392.tif 000004
【図３】
2004072392.tif 000005
【図４】
2004072392.tif 000006